(57)【要約】      （修正有）【課題】壁面の内側に対して柱が突出している壁に設けても、隙間が見えない幅木を提供する。【解決手段】柱の前面が壁面２から室内側に突出して設けられている壁３に取り付けられる幅木であって、柱の前面に当接される長尺形状の幅木本体４と、壁面２と幅木本体４との隙間に介在し、柱間の長さに対応した長尺形状の幅木補助部材６と、を備えてなることを特徴とする幅木であり、幅木補助部材６を壁面２と幅木本体４との隙間に介在させているため、壁面２と幅木本体４との隙間が外から見えなくなるとともに、幅木本体４が壁側にたわむことを防止できる。【選択図】図２
2006219840.tif 000002
【特許請求の範囲】
【請求項１】
柱の前面が壁面から室内側に突出して設けられている壁に取り付けられる幅木であって、柱の前面に当接される長尺形状の幅木本体と、壁面と幅木本体との隙間に介在し、柱間の長さに対応した長尺形状の幅木補助部材と、を備えてなることを特徴とする幅木。
【請求項２】
幅木補助部材の厚さが、柱の壁面から突出した突出部分の厚さとほぼ同じであることを特徴とする請求項１記載の幅木。
【請求項３】
幅木補助部材が、縦片と、縦片の上端から室内側に突出した横片とからなる断面略Ｌ字の長尺形状で、幅木補助部材の縦片を壁面と幅木本体との隙間に介在させると共に、幅木補助部材の横片と幅木本体の上端とが係合されるものであることを特徴とする請求項１又は２記載の幅木。
【発明の詳細な説明】
【技術分野】
【０００１】
本願発明は、壁の下部に設けられる幅木に関する。特には、収納室に用いられる幅木に関する。
【背景技術】
【０００２】
従来から、住宅の壁面の室内側下部を、帯板状の幅木を用いて化粧することが行われていた。この幅木の例として、特開２００１−９８７５４号公報には図７に示す如く、壁３にビスや釘などの取付部材１９で下地部材２０を固定した後、その上から幅木本体４を嵌合させ、取付部材１９が外から見えない幅木が開示されている。
【０００３】
一方、内装壁に開口部を設け、その開口部に扉を設けた収納室などに、備え付けの収納用ラックを設置することがある。このような収納室において、壁と床との見切り部分に幅木を設け、見切り部分に化粧を施したり、収納物が壁面へ当接することを防止したりしようとすると、収納用ラックの柱が壁面から突出しているため、一般的な幅木を用いると壁面と幅木との間に隙間が生じてしまうという問題があった。
【特許文献１】特開２００１−９８７５４号公報
【発明の開示】
【発明が解決しようとする課題】
【０００４】
本願発明は、上記背景技術に鑑みて発明されたものであり、その課題は、壁面の内側に対して柱が突出している壁に設けても、隙間が見えない幅木を提供することである。
【課題を解決するための手段】
【０００５】
上記課題を解決するために、本願発明は、柱の前面が壁面から室内側に突出して設けられている壁に取り付けられる幅木であって、柱の前面に当接される長尺形状の幅木本体と、壁面と幅木本体との隙間に介在し、柱間の長さに対応した長尺形状の幅木補助部材と、を備えてなることを特徴とする幅木としている。
【発明の効果】
【０００６】
本願発明の幅木においては、柱の前面が壁面から室内側に突出して設けられている壁であっても、幅木補助部材を壁面と幅木本体との隙間に介在させているため、壁面と幅木本体との隙間が外から見えなくなり、見栄えがよくなる。
【発明を実施するための最良の形態】
【０００７】
図１〜４は、本願の請求項１〜３の全てに対応した実施形態である幅木を示している。この実施形態の幅木は、図１〜４に示す如く、柱１の前面が壁面２から室内側に突出して設けられている壁３に取り付けられる幅木であって、柱１の前面に当接される長尺形状の幅木本体４と、壁面２と幅木本体４との隙間５に介在し、柱間の長さに対応した長尺形状の幅木補助部材６と、を備えてなることを特徴とする幅木である。
【０００８】
又、幅木補助部材６の厚さが、柱１の壁面２から突出した突出部分７の厚さとほぼ同じである。
【０００９】
又、幅木補助部材６が、縦片８と、縦片８の上端から室内側に突出した横片９とからなる断面略Ｌ字の長尺形状で、幅木補助部材６の縦片８を壁面２と幅木本体４との隙間５に介在させると共に、幅木補助部材６の横片９と幅木本体４の上端１０とが係合される。
【００１０】
以下、この実施形態の幅木を、より具体的詳細に説明する。この実施形態の幅木は、図１に示すような、内装壁に開口部を設け、開口部を扉で閉塞した収納室に設けられるものであり、幅木本体４と幅木補助部材６とからなっている。幅木本体４は長尺形状の木製で、この場合、ＭＤＦの基材に化粧シートを施している。この幅木本体４の断面は、図４に示すように、略矩形で、上端１０の室内側に切欠き１１を設け、室内側の側面には、隠し釘を打つための凹部１２が設けられている。
【００１１】
柱１は、柱本体１ａと柱補助部材１ｂとからなっている。柱本体１ａは木製で断面略矩形の柱状であり、柱補助部材１ｂは金属製で、図５に示す如く、縦長の長尺形状で、断面が柱本体１ａに向かって開口した略コ字型の接合部１３と、接合部１３のコ字の底の片である底片１４から面一に両側に突出して設けられた壁取付片１５からなっている。この壁取付片１５の端部１６は、柱本体１ａ側に向かって折り込まれている。又、接合部１３の底片１４には、棚を取り付けるための略矩形の棚取付孔１７と柱補助部材１ｂを柱１に固定するための釘やビスなどの取付具を取り付けるための略円形の接合孔１８が設けられている。図２及び図３に示す如く、柱本体１ａと柱補助部材１ｂの壁取付片１５の間には、パネル状の壁３が挟み込まれている。この壁３は、通常の壁パネルであっても良いが、この場合、調湿機能を有する石膏ボードパネルを使用している。又、この壁３は略矩形の板状で、その高さは床から天井までの高さと同じであり、幅は柱間の長さよりも長く、柱間に掛け渡せるように設定している。又、図示はしていないが、柱補助部材１ｂは接合孔１８から釘やビスなどの取付具を用いて柱本体１ａに取り付けられるとともに、壁３を固定している。
【００１２】
幅木本体４は、柱１の前面、この場合には柱補助部材１ｂの前面に当接されており、壁３と幅木本体４との隙間５には、幅木補助部材６が介在している。この場合、幅木補助部材６は樹脂製で、縦片８と、縦片８の上端から室内側に突出した横片９とからなる断面略Ｌ字の長尺形状である。このとき、幅木補助部材６の縦片８の厚みは、柱１の壁面２から突出した突出部分７の厚さとほぼ同じで、横片９の長さは柱間の長さに対応するように設定されている。又、幅木本体４と幅木補助部材６とは、幅木本体４の上端１０と幅木補助部材６の横片９とが当接されることで、係合されている。
【００１３】
続いて、この幅木の取り付け方法について記載する。まずは壁３の取り付け方法であるが、壁３を柱本体１ａの室内側に、柱本体１ａ間を掛け渡すように設置する。そして、柱補助部材１ｂの接合部１３の開口を柱本体１ａに向けて設置し、壁取付片１５と柱本体１ａとで壁３を挟み、柱本体１ａに向かって接合孔１８からビスをねじ込むことで、柱補助部材１ｂ及び壁３を柱本体１ａに固定する。次に、柱補助部材１ｂの前面に幅木本体４を仮置きした後、幅木本体４と壁面２との隙間５に、幅木補助部材６を介在させ、幅木補助部材６の横片９が幅木本体４の上端１０に当接するように仮配置する。このときに、幅木補助部材６と幅木本体４もしくは壁面２との間に接着剤を塗布しておけば、取付強度が強くなる。最後に、幅木本体４の凹部１２から柱本体１ａへ隠し釘を打ち込み、幅木本体４及び幅木補助部材６を柱１もしくは壁３に固定する。以上により、幅木の取付が完了する。なお、柱補助部位材には、棚取付孔１７を用いて、棚を設置することができる。
【００１４】
従って、この実施形態の幅木においては、収納室の壁面２に幅木を設けているので、本棚やたんすなどの家具類やダンボールなどの収納箱が壁３に直接触れるのを防ぎ、壁３に傷がつくことを防止できる。又、壁面２と家具類や収納箱の間に隙間５ができるためにカビなどの発生が防げるとともに、一度収納した家具類や収納箱も取り出しやすい。又、柱１の前面が壁面２から室内側に突出して設けられている壁３であっても、幅木補助部材６を壁面２と幅木本体４との隙間５に介在させているため、壁面２と幅木本体４との隙間５が外から見えなくなり、見栄えがよくなる。
【００１５】
又、幅木補助部材６の厚さが、柱１の壁面２から突出した突出部分７の厚さとほぼ同じであるので、幅木補助部材６が幅木本体４と壁面２との隙間５を外から見えなくするとともに、幅木本体４が壁面２側にたわむのを防ぐことができる。従って、収納室に収納したダンボールなどの荷物を壁側に強く押し込んだときでも、幅木本体４のたわみにより、幅木本体４や壁３が破損するのを防ぐことができる。
【００１６】
又、幅木補助部材６が、縦片８と、縦片８の上端から室内側に突出した横片９とからなる断面略Ｌ字の長尺形状であるので、幅木補助部材６の縦片８の厚さが、壁面２と幅木本体４との隙間５の厚さよりも多少薄かったとしても、横片９で隙間５がきれいに隠れる。従って、縦片８の厚さを厳密に調整する必要がない。
【００１７】
又、幅木補助部材６の縦片８の高さにはいくつかの設定方法がある。例えば、図４（ａ）の様に幅木本体４の高さに合わせた場合、図４（ｂ）の様に幅木本体４よりも短く設定して、縦片８の下端が床についていない場合、又、図４（ｃ）の様に縦片８を図４（ｂ）よりも更に短くし、下部に縦片補助部材８ａを設けた場合である。幅木補助部材６の縦片８の高さは、この例で示したように適宜選択すれば良いが、幅木補助部材６の横片９を幅木本体４の上端１０に当接させたとき、縦片８が少なくとも幅木本体４の凹部１２の裏側まで達する高さであることが望ましい。
【００１８】
この幅木補助部材６は、縦片８と横片９からなる断面略Ｌ字の長尺形状であるので、図４（ｂ）及び（ｃ）に示す如く、縦片８の高さが幅木本体４の高さよりも短くても、横片９が幅木本体４の上端１０に係合されるため、壁面２と幅木本体４との隙間５は外から見えなくなる。従ってこの場合、幅木本体４の高さと幅木補助部材６の縦片８の高さを厳密に調整する必要がない。又、幅木補助部材６を床側の幅木としてだけではなく、天井側の廻り縁にも転用しようとするとき、一般的に廻り縁は幅木よりも高さ方向の幅が小さいため、特に図４（ｃ）のように縦片８の高さを廻り縁の高さよりも低くしておくと、そのまま廻り縁用の幅木補助部材６にも併用することができ、都合が良い。このように縦片８の高さが短い場合、これを幅木補助部材６として用いると、幅木補助部材６の下方に大きな空間があいてしまうが、図４（ｃ）に示す如く、この空間には縦片補助部材８ａを挿入することで、幅木本体４の下部が壁側にたわむことを防ぐことができる。
【００１９】
一方、図４（ａ）のように幅木本体４の高さと幅木補助部材６の縦片８の高さを対応させた場合、幅木本体４の高さと幅木補助部材６の縦片８の高さが一致しているため、施工時に前もって幅木補助部材６の横片９と幅木幅木本体４の上端１０を係合させておかなくても、幅木補助部材６を幅木本体４で挟みこむことで互いに係合される。従って、幅木本体４の仮配置中に幅木本体４と壁面２との隙間５が広がり、隙間５に幅木補助部材６が落ち込んでしまうことがないので、施工しやすい。それに加え、幅木補助部材６の縦片８が隙間５の下側までしっかり挿入されているので、幅木本体４の壁面２へのたわみが図４（ａ）及び（ｂ）の場合よりも防止でき、幅木本体４及び壁３の破損を防ぐことができる。
【００２０】
なお、幅木補助部材６は断面略Ｌ字の長尺形状でなくてもよく、例えば断面矩形の長尺形状でも良い。その場合、幅木補助部材６の厚さを柱１の壁面２から突出した突出部分７の厚さと同じに設定しておけば、壁面２と幅木本体４との隙間５にちょうど収まり、外から隙間５が見えることもなく、又、幅木本体４が壁面２側にたわむこともない。
【００２１】
又、柱１の壁面２から突出した突出部分７の厚さと同じ厚さの幅木補助部材６であれば、図６に示す如く、幅木補助部材６のみを壁面２に取り付けて用いてもよい。
【図面の簡単な説明】
【００２２】
【図１】本願発明の実施形態である幅木を取り付けた収納室の斜視図。
【図２】本願発明の実施形態である幅木の壁面への取付構造を示す分解斜視図。
【図３】本願発明の実施形態である幅木の壁面への取付構造を示す斜視図。
【図４】本願発明の実施形態である幅木の壁面への取付構造を示す要部断面図。
【図５】本願発明の実施形態である幅木を取り付ける柱の一部である柱補助部材の要部斜視図。
【図６】本願発明の幅木の一部である幅木補助部材を取り付けた壁面を示す斜視図。
【図７】従来例である幅木を示す要部断面図。
【符号の説明】
【００２３】
１    柱
１ａ  柱本体
１ｂ  柱補助部材
２    壁面
３    壁
４    幅木本体
５    隙間
６    幅木補助部材
７    突出部分
８    縦片
８ａ  縦片補助部材
９    横片
１０  上端
１１  切欠き
１２  凹部
１３  接合部
１４  底片
１５  壁取付片
１６  端部
１７  棚取付孔
１８  接合孔
【図１】
2006219840.tif 000003
【図２】
2006219840.tif 000004
【図３】
2006219840.tif 000005
【図４】
2006219840.tif 000006
【図５】
2006219840.tif 000007
【図６】
2006219840.tif 000008
【図７】
2006219840.tif 000009